(57)【要約】【課題】アクセサリー等貴重品類が誤って排水と一緒に流出しないように、かつ毛髪等のゴミを捕捉するトラップ部の上下運動を利用して排水管の内面の汚れを清掃できるヘアキャッチャー及びそれを備えた洗面化粧台を提供する。【解決手段】排水口９に着脱自在に嵌設される排水蓋部２と、この排水蓋部２から懸下して排水管７の略中央領域に位置する軸部３と、この軸部３の中程より下位にて当該軸部３から外向きに張り出すように周設されその外周が排水管７の内面７１に近接するトラップ部１とを備え、該トラップ部１の外周に上記排水管７の内面７１に弾性的に当接する擦掃片が周設され、上記軸部３を上下動させることにより上記擦掃片が排水管内面７１を清掃することを特徴とする。【選択図】図３
2010047993.tif 000002
【特許請求の範囲】
【請求項１】
洗面ボウルの排水口の内部に配設されるヘアキャッチャーであって、排水口に着脱自在に嵌設される排水蓋部と、この排水蓋部から懸下して排水口に連接する排水管の略中央領域に位置する軸部と、この軸部の中程より下位にて当該軸部から外向きに張り出すように周設されその外周が排水管の内面に近接するヘア等のゴミを捕捉するためのトラップ部とを備え、該トラップ部の外周に上記排水管の内面に弾性的に当接する擦掃片が周設され、上記軸部を上下動させることに連動して上記擦掃片が排水管内面を清掃するようにしたことを特徴とするヘアキャッチャー。
【請求項２】
上記擦掃片が毛状またはゴム状のリングブラシである請求項１記載のヘアキャッチャー。
【請求項３】
上記擦掃片がゴムまたは軟質樹脂製の羽状ヘラである請求項１記載のヘアキャッチャー。
【請求項４】
上記請求項１〜３のいずれかに記載のヘアキャッチャーを排水口の内部に配設してなる洗面化粧台。
【発明の詳細な説明】
【技術分野】
【０００１】
本発明は、ヘアキャッチャーの構造に関し、さらに詳しくは、洗面ボウルの排水口に着脱自在に内設されるヘアキャッチャー及びそれを備えた洗面化粧台に関する。
【背景技術】
【０００２】
洗面化粧台の洗面ボウルにおいて、その排水口に、指輪やピアス、コンタクトレンズ等の小物の貴重品類が誤って排水と一緒に流出しないように、また、毛髪、糸くず等のゴミを捕捉するように排水蓋とトラップ部とを一体的に装着することはよく行われている。
【０００３】
例えば、本願図５は排水蓋部２ａとトラップ部１ａとからなる公知のヘアキャッチャーＢを示す説明図であり、上記排水蓋部２ａは、本願図５に部分断面で示す洗面ボウル６に設けられた排水口９の内部に着脱自在に嵌設されている。排水は排水口９に連接する排水管７に流下して排水本管に排出される。
【０００４】
一方、洗面化粧台のカウンター部にはポップアップ部８が設けられ、このポップアップ部８を操作することによりポップアップレバー８１が出没して排水蓋部２ａを含むヘアキャッチャーＢは上げ下げされ、排水口９は開閉される。本願図５は、上記洗面ボウル６で洗面、洗髪するとき等、湯水を貯留する状態を示し、上記ポップアップ部８を操作することにより排水蓋部２ａを下げて排水口９を閉とした状態を示す。
【０００５】
本願図６は、上記洗面ボウル６で使用した湯水を排水する際の状態を示す説明図である。すなわち、上記ポップアップ部８を操作し、ポップアップ部８と連動するポップアップレバー８１を突き出して排水蓋部２ａを白抜き矢印で示すように上方に移動させる。このようにして排水口９を開とし、排水は矢印で示すように流れ、排水管７に流下する。  一方、上記洗面ボウル６で洗面、洗髪するとき等に、指輪やピアス、コンタクトレンズ等の小物の貴重品類を誤って落とした場合、あるいは、毛髪、糸くず等のゴミがトラップ部１ａに絡まって排水が不良となり、清掃する際はヘアキャッチャーＢ全体を排水口９から抜き外し、貴重品類を回収したり、毛髪、糸くず等のゴミを取り除く。
【０００６】
他の公知技術としては、例えば、特開平１０−３７２６３号公報に記載の排水栓用ヘアキャッチャーがあげられる。上記技術は、その図１、図２に示されるように排水栓本体より垂設されるとともに、下端に錘部を有する排水栓スライド軸の外周に嵌装される排水栓用ヘアキャッチャーであって、上記排水栓スライド軸は、その外周にスライド自在に嵌装される筒状体を縦割り状に複数に分割形成し、この分割された筒状体を着脱自在に結合一体化してその外周に鍔状のトラップ部を設けてなる排水栓用ヘアキャッチャーが開示されている。
【０００７】
また、上記筒状体の外周にトラップ部を一体的に突設し、該トラップ部を筒状体と共に二分割形成し、同トラップ部の一方の外端同士をヒンジ部を介して折曲自在に結合し、同トラップ部の他方の外端同士を着脱自在に係着することにより、排水栓スライド軸の外周に嵌装された状態で排水口から排水栓本体と共に簡単に抜き外すことができる機能があると述べられている。  そして、該排水栓スライド軸から取り外してヘアキャッチャー本体に捕捉された毛髪、糸くず等のゴミを容易に除去することができるとともに、除去した後に、同排水栓スライド軸に容易に取り付けることができて、清掃作業を楽に行うことができる旨の効果が記載されている。
【特許文献１】特開平１０−３７２６３号公報
【発明の開示】
【発明が解決しようとする課題】
【０００８】
しかしながら、上記特許文献１の記載の排水栓用ヘアキャッチャーは、２個のヘアキャッチャー本体が筒状体の上下に結合され、筒状体とヘアキャッチャー本体とが、排水栓本体より垂設され下端に錘部を有する排水栓スライド軸に大きく拡開縮閉させて着脱動作を行う構造であり、構造が複雑で製造コストも大となるという問題がある。
【０００９】
本願発明は、上記背景技術に鑑みてなしたものであり、その目的は、簡単な構造で指輪やピアス、コンタクトレンズ、アクセサリー等貴重品類が誤って排水と一緒に流出しないように、また、毛髪、糸くず等のゴミを捕捉できるとともに、排水口に連接する排水管の内部の汚れやぬめりをヘアキャッチャーの上下の運動を利用して除去することのできるヘアキャッチャー及びそれを備えた洗面化粧台を提供することである。
【課題を解決するための手段】
【００１０】
上記課題を解決するために、本願請求項１記載の発明に係るヘアキャッチーは、洗面ボウルの排水口の内部に配設されるヘアキャッチャーであって、排水口に着脱自在に嵌設される排水蓋部と、この排水蓋部から懸下して排水口に連接する排水管の略中央領域に位置する軸部と、この軸部の中程より下位にて当該軸部から外向きに張り出すように周設されその外周が排水管の内面に近接するヘア等のゴミを捕捉するためのトラップ部とを備え、該トラップ部の外周に上記排水管の内面に弾性的に当接する擦掃片が周設され、上記軸部を上下動させることに連動して上記擦掃片が排水管内面を清掃するようにしたことを特徴としている。
【００１１】
上記排水管の内面に弾性的に当接する擦掃片としては、排水口及び排水管を構成する材料を傷付けたり、劣化させることのないものであれば特に限定されることなく、例えば、弾性を有する熱可塑性樹脂の成形品等が用いられる。  この熱可塑性樹脂としては、低密度ポリエチレン、中密度ポリエチレン、高密度ポリエチレン、エチレンαオレフィン共重合体、ポリプロピレン、ポリメチルペンテン、ポリブテン、エチレン−プロピレン共重合体、エチレン−酢酸ビニル共重合体等をあげることができる。また、上記熱可塑性樹脂に加えて合成ゴム、天然ゴム等のゴム類を成形して用いてもよい。
【００１２】
本願請求項２記載の発明は、上記請求項１に記載のヘアキャッチャーにおいて、上記擦掃片が毛状またはゴム状のリングブラシであることを特徴としている。
【００１３】
本願請求項３記載の発明は、上記請求項１に記載のヘアキャッチャーにおいて、上記擦掃片がゴムまたは軟質樹脂製の羽状ヘラであることを特徴としている。
【００１４】
本願請求項４記載の発明に係る洗面化粧台は上記請求項１〜３のいずれかに記載のヘアキャッチャーを排水口の内部に配設してなることを特徴としている。
【発明の効果】
【００１５】
本願請求項１に記載の発明に係るヘアキャッチャーにおいては、洗面ボウルの排水口に、着脱自在かつ上下自在に内設される排水蓋部と、この排水蓋部から排水口に連接する排水管の略中央領域に垂設される軸部と、この軸部の中程より下位で排水管の内面に近接するトラップ部とを備えているため、上記軸部を下からポップアップし、排水蓋部を開として排水したとき、上記トラップ部が、誤って落とされた指輪やピアス、コンタクトレンズ等の小物の貴重品類を排水と一緒に流出することを防止する。
【００１６】
さらに、上記トラップ部は毛髪、糸くず等のゴミを捕捉して排水管が閉塞することを防ぎ、また、ヘアキャッチャーそのものを排水口から抜き出してトラップ部に絡まって堆積したゴミを取り除くことにより、排水をスムースに流出させることができる。
【００１７】
さらに、該トラップ部の外周に上記排水管の内面に弾性的に当接する擦掃片が周設されているため、上記軸部をポップアップ機構により上下させる上下運動に連動して上記擦掃片がトラップ部近傍で、かつ最も汚れやぬめりが付着しやすい排水管内面を清掃することができる。あるいは、毛髪、糸くず等のゴミがトラップ部に絡まって排水が不良となり、清掃する際にヘアキャッチャー全体を排水口から抜き外し、挿入する場合にも擦掃片が上下して排水管内面を清掃することができる。
【００１８】
請求項２に記載の発明に係るヘアキャッチャーにおいては、特に、上記擦掃片が毛状またはゴム状のリングブラシとされているため、排水管内面に弾性的に当接して皮脂やぬめり等を効果的に擦掃し、排水管内面を掃除することができる。そして、排水蓋部の開閉と排水管内面の清掃とを同時に行うことができる。
【００１９】
請求項３に記載の発明に係るヘアキャッチャーにおいては、特に、上記擦掃片がゴムまたは軟質樹脂製の羽状ヘラとされているため、排水管内面に弾性的に当接して皮脂やぬめり等を効果的に擦掃し、排水管内面を掃除することができる。そして、排水蓋部の開閉と排水管内面の清掃とを同時に行うことができる。
【００２０】
請求項４に記載の発明に係る洗面化粧台においては、請求項１〜３のいずれかに記載のヘアキャッチャーが排水口の内部に配設されているため、アクセサリー等の貴重品を誤って落としてもトラップ部が排水と一緒に流出することを防止し、また、毛髪、糸くず等のゴミを捕捉して排水管が閉塞することを防ぐ。
【００２１】
また、ヘアキャッチャーを抜き出してトラップ部に絡まって堆積したゴミを取り除き、排水をスムースに流出させることができる。そして、トラップ部の外周に周設された擦掃片によって排水蓋部の開閉と排水管内面の清掃とを同時に行えるため、排水管内面を常に清潔に保つことができる。
【発明を実施するための最良の形態】
【００２２】
以下、本願発明に係るヘアキャッチャー及びそれを備えた洗面化粧台の実施形態について図面を参照して詳細に説明する。図１は、上記ヘアキャッチャーＡを示す説明図であり、図２は上記ヘアキャッチャーＡを洗面ボウル６の排水口９の内部に配設した洗面化粧台Ｃを示す斜視図である。
【００２３】
図１に示すように、上記ヘアキャッチャーＡは既述の洗面ボウル６の排水口９に着脱自在に嵌設される排水蓋部２とこの排水蓋部２から懸下する軸部３とトラップ部１とからなるとともに、上記軸部３は排水口９に連接する排水管７の略中央領域に位置し、この軸部３の中程より下位において軸部３から外向きに張り出すようにトラップ部１が周設されている。
【００２４】
また、トラップ部１は、その外周が排水管７の内面７１に近接して設けられ、トラップ部１の外周には、上記排水管７の内面７１に弾性的に当接する複数の毛状またはゴム状のリングブラシ４が周設されている。上記図１は、図２に記載の洗面化粧台Ｃのポップアップ部８を操作して、ポップアップレバー８１を下方に移動して排水蓋部２を閉じた状態を示す。この状態で洗面ボウル６に湯水を貯留して洗面、洗髪等を行う。
【００２５】
図３は使用後の汚れた湯水を排水する状態を示す説明図である。すなわち、排水する際はポップアップ部８を操作し、ポップアップ部８と連動するポップアップレバー８１を上方に移動して排水蓋部２を白抜き矢印で示すように上方に移動させ、排水口９を開とし、使用後の汚れた湯水を排水管７に排水する。このとき、排水は図３に矢印で示すように流れ、ヘア、糸くず等のゴミはトラップ部１によって捕捉される。
【００２６】
一方、ポップアップレバー８１の上下移動により排水蓋部２の開閉を繰り返すとき、トラップ部１の外周に周設されるとともに、上記排水管７の内面７１に弾性的に当接する複数の毛状またはゴム状のリングブラシ４も上下し、排水管７の上記リングブラシ４近傍の内面７１に付着した皮脂やぬめり等を擦掃する。このようにすることにより、トラップ部１周辺の最も汚れやすい排水管７の内面７１をリングブラシ４が清掃し、清潔に保つことができる。即ち、リングブラシ４が擦掃片として機能するのである。  軸部３の下端部がポップアップレバー８１から離脱するよう排水蓋部２を上方に持ち上げれば、排水管７の内面７１をその上下方向に大きく清掃することができる。
【００２７】
図４は、図１に示すトラップ部１の外周に、毛状またはゴム状のリングブラシ４に替えてゴムまたは軟質樹脂製の羽状ヘラ５を擦掃片として周設した他の形態を示す斜視図である。図４に示す羽状ヘラ５を擦掃片として用いた場合もリングブラシ４を用いたときと同様に、トラップ部１周辺の最も汚れやすい排水管７の内面７１を羽状ヘラ５が清掃し、清潔に保つことができる。
【００２８】
以上述べたように、従来、日常手入れのし難い排水口９の内部を本願発明に係るヘアキャッチャーＡを用いることにより、歯ブラシ等の清掃手段を用いて掃除するという手間を掛けることなく、通常の洗面時の排水蓋部２の開閉動作で清潔に保つことができる。なお、上記擦掃片としては、排水口内面を構成するポリアセタールやＡＢＳ樹脂等を傷めることのない、例えば発泡ポリエチレン樹脂等の発泡体を用いてもよい。このように、本願発明は種々設計変更可能であり、特許請求の範囲を逸脱しない限り、本願発明の技術的範囲に属する。
【図面の簡単な説明】
【００２９】
【図１】本願発明に係るヘアキャッチャーを用いて排水蓋部を閉じた状態を示す説明図。
【図２】本願発明に係るヘアキャッチャーを洗面ボウルの排水口の内部に配設した洗面化粧台を示す斜視図。
【図３】本願発明に係るヘアキャッチャーを用いて排水するとともに、排水管のリングブラシ近傍の内面に付着した皮脂やぬめり等を擦掃する状態を示す説明図。
【図４】擦掃片としてトラップ部の外周に周設された羽状ヘラを示す斜視図。
【図５】洗面ボウルに設けられた排水口の内部に着脱自在に嵌設される公知のヘアキャッチャーを示す説明図。
【図６】公知のヘアキャッチャーを用い、使用した湯水を排水する状態を示す説明図。
【符号の説明】
【００３０】
Ａ      本願発明に係るヘアキャッチャー
Ｂ      公知のヘアキャッチャー
Ｃ      本願発明に係る洗面化粧台
１      トラップ部
２      排水蓋部
３      軸部
４      リングブラシ
５      羽状ヘラ
６      洗面ボウル
７      排水管
７１    内面
８      ポップアップ部
８１    ポップアップレバー
９      排水口
１ａ    公知のヘアキャッチャーにおけるトラップ部
２ａ    公知のヘアキャッチャーにおける排水蓋部
【図１】
2010047993.tif 000003
【図２】
2010047993.tif 000004
【図３】
2010047993.tif 000005
【図４】
2010047993.tif 000006
【図５】
2010047993.tif 000007
【図６】
2010047993.tif 000008